(57)【要約】【課題】介護士や運搬作業員の介護者や荷物などの重量物を扱う際の腰にかかる負担を軽減し、手軽に且つ通常の作業に影響の少ない腰痛防止装着具を提供すること。【解決手段】腰に巻くベルト５の一部が伸縮し、ベルト５と脊椎を伸ばす脊椎補助部１を滑車３を経由しワイヤー４で接続することにより、前に屈んだ際にベルト５が締まり、重量物を扱うために腹部に力を入れることによりワイヤー４が引かれ屈曲していた脊椎補助部１が真っ直ぐになるように働き、使用者の肩に回したストラップ７を後方へ引く様に構成することにより課題を解決した。【選択図】図１
2004358196.tif 000002
【特許請求の範囲】
【請求項１】
使用者の腹部に入れる力に応じた、腰に巻いたベルトの径の変化により、使用者の肩を後方へ引き上げる力を生じる様に構成した腰痛防止装着具
【請求項２】
中空のブロックを複数積み上げて前方向にのみ曲がるようにつなぎ、内部にワイヤーを通し、該ワイヤーは最上段のブロックに固定し、滑車装置を経由し、中央部に伸縮部分を有するベルトの伸縮部分より先端方向の箇所に固定する構成とし、使用者の肩に最上段のブロックに接続したストラップを掛ける様に構成した請求項１記載の腰痛防止装着具
【請求項３】
中空のブロックを複数積み上げて前方向にのみ曲がるようにつなぎ、内部にワイヤーを通し、該ワイヤーの一端を最上段のブロックに固定し、他端を牽引装置に固定し、伸縮部分を有するベルトに設置した変位検出装置により牽引装置の牽引力を制御する構成とし、使用者の肩に最上段のブロックに接続したストラップを掛ける様に構成した請求項１記載の腰痛防止装着具
【発明の詳細な説明】
【０００１】
【発明の属する技術分野】
腰痛を防止する目的で人体に装着する腰痛防止具に関する
【０００２】
【従来の技術】
腰痛の防止および軽減のための方法として、例えば特開平１０−１２７７２９に開示されている突状部材をベルト内側に設け、先端部にて人体表面が押圧されることにより腰痛を緩和もしくは防止する健康ベルトや、特開２００３−０４７６２５に開示されている凸状の腰椎矯正具を腰ベルト本体の中央付近に配し、腰椎の生理的前弯の崩れを予防ないしは回復させる方法が示されている。
【０００３】
【発明が解決しようとする課題】
要介護者を扱う介護士や、荷物の運搬に携わる作業員など日常的に重量物を移動させることを仕事とする人には腰に負担がかかり、腰痛を発生しやすい。
その理由として、重量物を扱う際に、脊椎が曲がった状態で重量物を扱わざるを得ない場合があり、その状態で重量物を扱うと腰を痛めてしまう可能性が高くなる。
【０００４】
従来の腰痛防止具は腰に巻くベルトに突起物や固定具を配置することにより腰痛を防止するが、作用は腰部に限定する構成のため脊椎が曲がった状態で重量物を扱う場合への防止策がない。
【０００５】
従い、腰痛防止のため、重量物を扱う際に脊椎をまっすぐにするように作用し、軽量で、作業の負担にならない腰痛防止具が必要となる。
【０００６】
【課題を解決するための手段】
このような課題を解決するために本発明では、装着者の腹部に力を入れることにより装着者の肩を後ろに引き上げることにより脊椎がまっすぐになる様に作用する様に構成する。
【０００７】
【発明の実施の形態】
本発明の腰痛防止装着具の構成について図を用いて説明する。
図１は本発明の腰痛防止装着具の一実施例の全体を表す図である。
【０００８】
本発明の腰痛防止装着具は脊椎補助部１と、固定部２と、滑車３と、ワイヤー４と、ベルト５と、背当て部６と、ストラップ７から構成される。
【０００９】
脊椎補助部１は、複数の角状のブロックの部材により構成され、それぞれのブロックを積み上げる様に配置する。それぞれのブロックには前方に傾く様な位置に支点となる形状とその支点を受ける支点受けの形状を有し、上下方向にワイヤー４を通す穴を有し、軽量かつ強固な素材によって作られる。
【００１０】
固定部２は脊椎補助部１の最下段ブロックと滑車２を固定する。また、ベルト５を導く形状を有し、軽量かつ強固な素材によって作られる。
【００１１】
滑車３はベルト５と脊椎補助部１の間にて固定部２に固定され、ワイヤー４に作用する力の方向を変える様に働く。
【００１２】
ワイヤー４は滑車３を経由し、脊椎補助部１の最上段ブロックとベルト５に固定され、それぞれを接続する。
【００１３】
ベルト５は中央部分で２つに分かれており、それぞれ固定部２の導入形状に挿入され、ワイヤー４に接続され、抜け落ちない構成とする。
【００１４】
背当て部６はクッション性のある素材を用い、使用者の背中と脊椎補助部１および固定部２との間に配置する。
【００１５】
ストラップ７は使用者の肩に回し、使用者の肩を脊椎補助部１に固定するため、屈曲性に優れ、伸縮性の無い素材を用い、脊椎補助部１の最上段ブロックに接続され、使用者の肩を脊椎補助部１に固定する。
【００１６】
次に本発明の腰痛防止装着具の動作について図を用いて説明する。
図２は本発明の腰痛防止装着具の一実施例の左側面及び後方から見た図である。
【００１７】
まず使用者が前屈みになる際にについて説明する。
使用者が前屈みになると脊椎補助部１の各ブロックは支点を中心に前に傾く。このとき各ブロック内に通したワイヤー４は支点より後方に配置しており、脊椎補助部１の最上段ブロックに固定されているため、ワイヤー４が上方に引き上げられる。
【００１８】
使用者が前屈みになるとワイヤー４が引き上げられ、滑車３により、水平方向に引く力となり、ワイヤー４はベルト５に固定されているためベルト５の径が小さくなるように作用する。
【００１９】
次に使用者が重量物を持ち上げる際について説明する。
使用者が前屈みとなり、ベルト５の径が小さくなっている状態で、重量物を持ち上げる際に腹部に力を入れることにより、ベルト５の径を広げる様に作用する。
【００２０】
このとき、前屈みになる場合と逆に、ベルト５の径が広がることにより、接続されたワイヤー４を左右に引くように作用する。
【００２１】
その力は滑車３を経由し、支点を中心に前に傾いている脊椎補助部１の最上段ブロックを引き下げる様に働く。
【００２２】
この時、支点を中心に各ブロックの隙間が縮まる。この作用は最上段ブロックに接続されているストラップ７を後方へ引くように作用する。
【００２３】
この時ストラップ７は使用者の肩に回されているため、使用者の肩を後方へ引くように作用する。
【００２４】
通常、人が重量物を扱う際には、無意識に腹部に力を入れるため、本腰痛防止装着部を装着すれば、重量物を扱う都度、使用者の肩を後方へ引く力となり、脊椎が真っ直ぐとなり、腰痛を防止する。
【００２５】
尚、滑車３とワイヤー４は前述の構成に限らず、例えば図４に示す様に動滑車８を用いた構成にしても良く、この場合は脊椎補助部１に加わる力が大きくなり、すなわち使用者の肩を後方へ引く力が強くなる。
【００２６】
実施の他の形態について説明する。図５は検出装置９と牽引装置１０を使用した例であり、ベルト５の径の変化を検出装置９が電気的に検知し、牽引装置１０がワイヤー４を動力により牽引するように構成した例である。
【００２７】
【発明の効果】
以上説明した様に本発明では、バネの力などを用いないため、バネに対抗する余計な力を必要とせず、低コストで、軽量で、作業に負担のない腰痛防止装着具を提供できる。
【図面の簡単な説明】
【図１】腰痛防止装着具の一実施例の全体を示す図
【図２】使用者が前屈みになった場合の動作を示す図
【図３】使用者が腹部に力を入れた場合の動作を示す図
【図４】動滑車を使用した実施例
【図５】動力を使用した実施例
【符号の説明】
１  脊椎補助部
２  固定部
３  滑車
４  ワイヤー
５  ベルト
６  背当て部
７  ストラップ
８  動滑車
９  検出部
１０  牽引部
【図１】
2004358196.tif 000003
【図２】
2004358196.tif 000004
【図３】
2004358196.tif 000005
【図４】
2004358196.tif 000006
【図５】
2004358196.tif 000007